(57)【要約】      （修正有）【課題】構造がシンプルで且つ簡単に組立ができる簡易温室を提供する。【解決手段】被覆シート１と、被せられた被覆シート１を支持する被覆シート支持フレームからなる、栽培容器を覆う簡易温室において、逆Ｕ字形に形成された一対の支柱杆３が間隔をおいて対向して配置され、それぞれの支柱杆３の頂部７に水平の頂部連結杆の両端が結合されて連結され、それぞれの支柱杆３の前側の脚部の上部及び後側の脚部の上部は水平の上部連結杆５の両端が結合されて連結され、それぞれの支柱杆３の前側の脚部の下部及び後側の脚部の下部に水平の下部連結杆６の両端が結合されて連結されている。【選択図】図２
0003171234.tif 000002
【実用新案登録請求の範囲】
【請求項１】
被覆シートと、被せられた被覆シートを支持する被覆シート支持フレームからなる、栽培容器を覆う簡易温室において、
逆Ｕ字形に形成された一対の支柱杆が間隔をおいて対向して配置され、
それぞれの支柱杆の頂部に水平の頂部連結杆の両端が結合されて連結され、
それぞれの支柱杆の前側の脚部の上部及び後側の脚部の上部は水平の上部連結杆の両端が結合されて連結され、
それぞれの支柱杆の前側の脚部の下部及び後側の脚部の下部に水平の下部連結杆の両端が結合されて連結されていることを特徴とする簡易温室。
【請求項２】
前記被覆シートが、遮光シート、防虫ネット、ビニールシートまたはＵＶカットビニールシートのいずれかであることを特徴とする請求項１に記載の簡易温室。
【請求項３】
前記被覆シートの前面が開閉自在であることを特徴とする請求項１または２に記載の簡易温室。
【考案の詳細な説明】
【技術分野】
【０００１】
本考案は、草花や野菜などの植物を鉢などの栽培容器に植えて温室栽培する際に栽培容器を覆うのに使用する簡易温室に関する。
【背景技術】
【０００２】
草花や野菜などの植物を植えた鉢やプランターなどの栽培容器をベランダや庭などに置き、暑さや寒さなどの栽培環境を適切に調節して温室栽培することが行われており、温室栽培を簡易に実施するために、栽培容器を覆う簡易温室が提案されている（特許文献１〜３参照）。
【０００３】
例えば、前記特許文献１には、少ない部材で簡易に組立が可能な簡易温室として、光を地面側に通す被覆部材と、前記被覆部材を保持する被覆部材保持手段と、前記被覆部材保持手段を回動可能に保持する回動部と、地面に固定可能な固定部とを有する複数の固定手段と、断熱効果を有するものであって、前記被覆部材保持手段と地面との間にできる空間の熱が外部に逃げるのを防止する底のない保温手段とを具備した簡易温室が開示されている。
【０００４】
また、前記特許文献２には、経済性と保温性能を両立させる簡易温室として、上下に配置される一対の枠状部材と枠状部材同士を連結する縦支柱とを有するフレームと、フレームに被せられフレームの側面内外を被覆するとともに縁部側が下側の枠状部材に固定されるシートと、を備えた温室本体と、温室本体の上方開口部を開閉可能な枠状扉と、当該枠状扉の表裏を被覆する扉シートとを備えた簡易温室が開示されている。
【０００５】
また、前記特許文献３には、保管時に場所を取らない簡易温室として、金属線材で構成した前・後枠体と、この前・後枠体の相対応する縦柱部材同士を連結する連結杆と、前・後枠体及び連結杆で形成した構造体の外周を被覆する合成樹脂フィルム製の筒状被覆材とで形成し、前・後枠体と連結杆とを縦柱部材の軸芯周りに回動可能な状態で嵌合により連結した簡易温室が開示されている。
【先行技術文献】
【特許文献】
【０００６】
【特許文献１】特許第４５２７６８２号公報
【特許文献２】特開２００９−０９５２４０号公報
【特許文献３】特開２００１−３３３６４８号公報
【考案の概要】
【考案が解決しようとする課題】
【０００７】
前記特許文献１に記載されている簡易温室は、被覆部材を保持する複数の被覆部材保持手段を回動可能に保持する必要があるだけでなく、さらに保温手段を必要とするため、部品点数が多くなり、また、可動部を有するので構造も複雑になって組立に手間がかかるという課題がある。
【０００８】
また、前記特許文献２に記載されている簡易温室は、シートが被覆された温室本体の上方開口部にシートが被覆された枠状扉を開閉可能に取り付けるため、可動部を有するので構造が複雑になって組立に手間がかかる。また、枠状扉を開けて囲われた狭い温室本体内で植物の手入れを行うので、作業しづらい場合があるという課題がある。
【０００９】
また、前記特許文献３に記載されている簡易温室は、前・後枠体と連結杆とを縦柱部材の軸芯周りに回動可能な状態で嵌合させるために、連結杆の両端部に係合部を装着しなくてはならないので、係合部を装着する連結杆の加工、前・後枠体と連結杆の組立に手間がかかるという課題がある。
【００１０】
そこで、本考案は、構造がシンプルで且つ簡単に組立ができる簡易温室を提供するものである。
【課題を解決するための手段】
【００１１】
本考案は、被覆シートと、被せられた被覆シートを支持する被覆シート支持フレームからなる、栽培容器を覆う簡易温室において、逆Ｕ字形に形成された一対の支柱杆が間隔をおいて対向して配置され、それぞれの支柱杆の頂部に水平の頂部連結杆の両端が結合されて連結され、それぞれの支柱杆の前側の脚部の上部及び後側の脚部の上部は水平の上部連結杆の両端が結合されて連結され、それぞれの支柱杆の前側の脚部の下部及び後側の脚部の下部に水平の下部連結杆の両端が結合されて連結されていることを特徴とする。
【００１２】
前記構成において、被覆シートは、遮光シート、防虫ネット、ビニールシート、ＵＶカットビニールシートのいずれかであり、また、被覆シートの前面が開閉可能であることを特徴とする。
【考案の効果】
【００１３】
本考案の簡易温室は、一対の逆Ｕ字形の支柱杆の頂部、支柱杆の脚の上部及び下部を連結杆で結合するだけのシンプルな構造なので組立が容易である。
【００１４】
本考案の簡易温室は、被覆シートを容易に張り替えることが可能であり、例えば、害虫の発生が多い夏には、害虫がハウスに侵入しないようにハウスに防虫ネットを展張したり、寒いシーズンにはビニールシートを展張して保温したり、害虫の飛来を抑止するため、ＵＶカットビニールを展張したりすることができる。学校教育においては、簡易温室に遮光シートを被覆したり、防虫ネットを張り巡らしたり、ＵＶカットビニールシートを展張したりすることにより、植物を育てるためには環境条件を整えることが必要であることを学びとることができると同時に農家の作業が理解できる。
【００１５】
本考案の簡易温室は、被覆シートの前面が開閉自在であるため、被覆シートをめくって横方向から楽に作業ができる。
【００１６】
プランターや鉢で野菜や花が栽培されているが、野菜栽培環境の不備、野菜栽培資材選択の誤り、野菜栽培技術の欠如からうまく栽培できない場合があるが、本考案の簡易温室により、栽培容器に植えた植物が日光や温度調節が可能となるために栽培に適した環境を作り上げることができ、一年中家庭や学校の庭やテラスを利用して野菜等の植物を栽培することができる。
【００１７】
本考案の簡易温室により、野菜を栽培すれば日々生育状況を観察しながら、成長の感動を楽しむことができる。晴天日が続けば、毎日灌水が求められる。同時に生育過程において肥料も与えなければならない。植物にとって必要な「光、水、大気、温度、土、肥料」など、植物生理生態学を勉学する機会になる。
【００１８】
本考案の簡易温室は、アパートやマンションのベランダで野菜栽培あるいは、小学性や中学生や養護学校などの野菜栽培の教材として利用できる。
【図面の簡単な説明】
【００１９】
【図１】本考案の簡易温室の被覆シート支持フレームを示す斜視図である。
【図２】本考案の簡易温室の使用状態の一例を示す斜視図である。
【図３】被覆シート支持フレームに防虫ネット及び遮蔽シートを被せた例を示す概略断面図である。
【図４】被覆シート支持フレームにビニールシートを被せた例を示す立て概略断面図である。
【考案を実施するための形態】
【００２０】
本考案の実施例について図面を参照しながら説明する。
【実施例】
【００２１】
図１及び図２において、本考案の簡易温室は、被覆シート１と、被覆シート１が被せられ、この被覆シート１を支持する被覆シート支持フレーム２から構成される。
【００２２】
被覆シート支持フレーム２は、支柱杆３、支柱杆３どうしを連結する頂部連結杆４、上部連結杆５、下部連結杆６を結合して構成される。これらの杆３〜６は、組立後に必要な強度が得られる金属製あるいは合成樹脂製のパイプ、棒材あるいは型材を使用することができる。
【００２３】
支柱杆３は逆Ｕ字形に形成されており、一対の支柱杆３が間隔をおいて対向して配置される。
【００２４】
対向するそれぞれの支柱杆３の頂部７は、頂部連結杆４の両端が溶接や接着剤などで結合されて連結される。
【００２５】
さらに、それぞれの支柱杆３は、その前側の脚部８及び後側の脚部９の上部は上部連結杆５の両端が溶接や接着剤などで結合されて連結される。また、支柱杆３の前側の脚部８及び後側の脚部９の下部も下部連結杆６の両端が溶接や接着剤などで結合されて連結される。
【００２６】
両側の下部連結杆６には、それぞれ植木鉢１０を載せる支持板１１を支持する支持突起部１２を形成してもよい。なお、支持板１１は、両側の下部連結杆６に直接載せるようにしてもよい。
【００２７】
被覆シート支持フレーム２の大きさは、例えば、対向する支柱杆３の間の距離が約７００ｍｍ、前側の脚部８と後側の脚部９の間の奥行きの距離が約３５０ｍｍ、高さ約６００ｍｍ（地面から下部連結杆６まで約５０ｍｍ＋下部連結杆６から上部連結杆５まで４００ｍｍ＋上部連結杆５から頂部７まで１５０ｍｍ）とする。この大きさにより手軽に配送可能となる。
【００２８】
被覆シート支持フレーム２に被せる被覆シートには、植物の生育条件（光・温度・湿度など）を調節するために、各種のシートを適宜使い分けて使用する。たとえば、図３に示すように、夏期には、通気性をよくするとともに、害虫被害対策のためにネット１４を被せたり、あるいは高温対策として遮光のために遮光シート１５を被せたり、あるいは、図４に示すように、冬期には保温のためにビニールなどの樹脂シート１６をすっぽり被せたりする。
【００２９】
被覆シート１は、被覆シート支持フレーム２をすっぽり包むことができるように筒状に形成したり、あるいは、被覆シートを係止具１３で各杆３〜６に留めたりして被覆してもよい。被覆シートの前面が開閉できるようにすると、被覆シート支持フレーム２内での作業がしやすくなる。
【符号の説明】
【００３０】
１：被覆シート
２：被覆シート支持フレーム
３：支柱杆
４：頂部連結杆
５：上部連結杆
６：下部連結杆
７：頂部
８：前側の脚部
９：後側の脚部
１０：植木鉢
１１：支持板
１２：支持突起部
１３：係止具
１４：ネット
１５：遮光シート
１６：樹脂シート
【図１】
0003171234.tif 000003
【図２】
0003171234.tif 000004
【図３】
0003171234.tif 000005
【図４】
0003171234.tif 000006